(57)【要約】【課題】消費電力を低減すること。【解決手段】本発明にかかる端末装置は、識別情報記録媒体に対して識別情報取得処理を行なう読取部と、識別情報取得処理に関する情報を表示出力する表示部とを備える。また、本発明にかかる端末装置は、読取部および表示部を制御する制御部を備え、該制御部は、通信開始後から、識別情報記録媒体が送信した最初の応答信号を受信するまでの間、表示部に対する供給電力を停止する。この結果、端末装置における消費電力を低減することが可能となる。【選択図】      図２
2005235085.tif 000002
【特許請求の範囲】
【請求項１】
送受信手段が送受信する所定周波数の電波または所定波長の光を介して、情報授受を行なう端末装置において、
前記情報授受に関する情報を表示する表示手段と、
前記情報授受前に行なう通信確立期間における前記表示手段に対する供給電力を、停止を含めて抑制する制御手段と、
を備えたことを特徴とする端末装置。
【請求項２】
前記制御手段は、所定の送信信号に対して識別情報を含む応答信号を送信する識別情報記録媒体に対する前記情報授受を制御し、
前記通信確立期間は、通信開始から最初の前記応答信号を受けるまでの間であることを特徴とする請求項１に記載の端末装置。
【請求項３】
前記表示手段は、供給電力に対応した輝度の光を表示する自発光素子で形成され、
前記制御手段は、前記通信確立期間の間、前記自発光素子に対する供給電力を、停止を含めて抑制することを特徴とする請求項１または２に記載の端末装置。
【請求項４】
前記表示手段は、有機エレクトロルミネッセンスディスプレイまたはプラズマディスプレイを備えたことを特徴とする請求項３に記載の端末装置。
【請求項５】
前記表示手段は、
液晶ディスプレイと、
前記液晶ディスプレイに対して所定輝度の光を照射して表示輝度を調整する照明手段と、
を備え、前記制御手段は、前記照明手段に対して、照射光の輝度低下または照射光の照射停止を行なわせることを特徴とする請求項１または２に記載の端末装置。
【請求項６】
前記送受信手段は、所定周波数の電波を介して、前記識別情報記録媒体の識別情報を取得する読取手段を備えたことを特徴とする請求項１〜５のいずれか一つに記載の端末装置。
【請求項７】
前記送受信手段は、所定波長の光を介して、前記識別情報記録媒体の識別情報を取得する光学情報読取手段を備えたことを特徴とする請求項１〜５のいずれか一つに記載の端末装置。
【請求項８】
前記送受信手段は、
所定周波数の電波を介して、第１の前記識別情報記録媒体の識別情報を取得する読取手段と、
所定波長の光を介して、前記第１の識別情報記録媒体と異なる種別である第２の前記識別情報記録媒体の識別情報を取得する光学情報読取手段と、
を備えたことを特徴とする請求項１〜５のいずれか一つに記載の端末装置。
【請求項９】
前記表示手段に対する供給電力を抑制するか否かを選択する指示情報を入力する入力部と、
前記制御手段は、前記入力手段から入力された指示情報をもとに、前記表示手段に対する供給電力を抑制することを特徴とする請求項１〜８のいずれか一つに記載の端末装置。
【請求項１０】
前記読取手段は、前記識別情報記録媒体の識別情報を取得するともに、前記識別情報記録媒体に対して情報を書き込む書込処理を行ない、
前記表示手段は、前記書込処理の完了を表示出力することを特徴とする請求項６、８または９に記載の端末装置。
【発明の詳細な説明】
【技術分野】
【０００１】
この発明は、送受信手段が送受信する所定周波数の電波または所定波長の光を介して、情報の授受を行なう端末装置に関する。
【背景技術】
【０００２】
従来から、無線通信システムの１つとして、ＲＦＩＤ（Radio Frequency Identification）システムが開発されており、入退室管理、商品管理等に利用されている。ＲＦＩＤシステムでは、識別情報等が記憶されたＲＦＩＤタグを管理対象に取り付ける。そして、専用のＲＦＩＤタグ読取装置を用い、所定周波数の電波を介してＲＦＩＤタグの識別情報を取得する読取処理および各種情報をＲＦＩＤタグに対して書き込む書込処理を行うことによって、管理対象を管理している。近年、読取処理および書込処理の簡易化のため、読取装置として、携帯型の端末装置が開発されている（特許文献１参照）。
【０００３】
【特許文献１】特開平１１−２３８１０３号公報
【発明の開示】
【発明が解決しようとする課題】
【０００４】
ところで、近年、携帯型の端末装置の小型化が求められており、これにともない端末装置の省電力化が必要とされている。しかしながら、従来の端末装置では、送信信号の増幅時に電力を多く必要としており、端末装置全体において消費される電力を低減することが困難であった。このため、端末装置に搭載される電池の小型化が困難であり、端末装置の小型化を図ることができないという問題があった。
【０００５】
この発明は、上記した従来技術の欠点に鑑みてなされたものであり、消費電力を低減して、搭載される電池の小型化を図り、小型化を可能とする端末装置を提供することを目的とする。
【課題を解決するための手段】
【０００６】
請求項１にかかる端末装置は、送受信手段が送受信する所定周波数の電波または所定波長の光を介して、情報授受を行なう端末装置において、前記情報授受に関する情報を表示する表示手段と、前記情報授受前に行なう通信確立期間における前記表示手段に対する供給電力を、停止を含めて抑制する制御手段と、を備えたことを特徴とする。
【０００７】
請求項１にかかる端末装置によれば、情報授受前に行なう通信確立期間における表示手段に対する供給電力を、停止を含めて抑制する制御手段を備えることによって、当該端末装置全体で消費される電力を低減することが可能となる。
【０００８】
請求項２にかかる端末装置は、前記制御手段は、所定の送信信号に対して識別情報を含む応答信号を送信する識別情報記録媒体に対する前記情報授受を制御し、前記通信確立期間は、通信開始から最初の前記応答信号を受けるまでの間であることを特徴とする。
【０００９】
請求項３にかかる端末装置は、前記表示手段は、供給電力に対応した輝度の光を表示する自発光素子で形成され、前記制御手段は、前記通信確立期間の間、前記自発光素子に対する供給電力を、停止を含めて抑制することを特徴とする。
【００１０】
請求項４にかかる端末装置は、前記表示手段は、有機エレクトロルミネッセンスディスプレイまたはプラズマディスプレイを備えたことを特徴とする。
【００１１】
請求項５にかかる端末装置は、前記表示手段は、液晶ディスプレイと、前記液晶ディスプレイに対して所定輝度の光を照射して表示輝度を調整する照明手段と、を備え、前記制御手段は、前記照明手段に対して、照射光の輝度低下または照射光の照射停止を行なわせることを特徴とする。
【００１２】
請求項６にかかる端末装置は、前記送受信手段は、所定周波数の電波を介して、前記識別情報記録媒体の識別情報を取得する読取手段を備えたことを特徴とする。
【００１３】
請求項７にかかる端末装置は、前記送受信手段は、所定波長の光を介して、前記識別情報記録媒体の識別情報を取得する光学情報読取手段を備えたことを特徴とする。
【００１４】
請求項８にかかる端末装置は、前記送受信手段は、所定周波数の電波を介して、第１の前記識別情報記録媒体の識別情報を取得する読取手段と、所定波長の光を介して、前記第１の識別情報記録媒体と異なる種別である第２の前記識別情報記録媒体の識別情報を取得する光学情報読取手段と、を備えたことを特徴とする。
【００１５】
請求項９にかかる端末装置は、前記表示手段に対する供給電力を抑制するか否かを選択する指示情報を入力する入力部と、前記制御手段は、前記入力手段から入力された指示情報をもとに、前記表示手段に対する供給電力を抑制することを特徴とする。
【００１６】
請求項１０にかかる端末装置は、前記読取手段は、前記識別情報記録媒体の識別情報を取得するともに、前記識別情報記録媒体に対して情報を書き込む書込処理を行ない、前記表示手段は、前記書込処理の完了を表示出力することを特徴とする。
【発明の効果】
【００１７】
本発明にかかる端末装置によれば、情報授受前に行なう通信確立期間における表示手段に対する供給電力を停止を含めて抑制する制御手段を備えることによって、当該端末装置全体で消費される電力を低減することが可能となる。このため、本発明にかかる端末装置によれば、搭載される電池の小型化が可能となり、端末装置の小型化を実現することができる。
【発明を実施するための最良の形態】
【００１８】
以下、図面を参照して、この発明の実施の形態である端末装置について説明する。なお、この実施の形態によりこの発明が限定されるものではない。また、図面の記載において、同一部分には同一の符号を付している。
【００１９】
（実施の形態）
まず、実施の形態にかかる端末装置について、所定周波数の電波を送受信することによってＲＦＩＤタグを読み取るＲＦＩＤ処理部を読取手段として備えた端末装置を例として説明する。本実施の形態にかかる端末装置は、制御手段が通信確立期間における表示手段に対する供給電力を抑制する。なお、ＲＦＩＤタグとは、ＲＦＩＤ処理部が送信した所定周波数の電波に応じて、蓄積した識別情報等の各種情報に対応する応答電波を送信する識別情報記録媒体であってタグ形状であるものである。また、ＲＦＩＤタグが蓄積する各種情報は、所定周波数の電波を介して、読出しが可能であるとともに、書き込み、書き換えが可能である。
【００２０】
図１は、本実施の形態にかかる端末装置の概略構成を示すブロック図である。図１に示すように、本実施の形態にかかる端末装置１は、入力部２と、無線通信用のアンテナ３ａを有するＲＦＩＤ処理部３と、表示部４と、記憶部５と、制御部６と、外部通信部７と、ストレージデバイス８と、音声入出力部９とを有する。入力部２、ＲＦＩＤ処理部３、表示部４、記憶部５、外部通信部７、ストレージデバイス８および音声入出力部９は、制御部６に電気的に接続され、アンテナ３ａは、ＲＦＩＤ処理部３に電気的に接続される。また、制御部６は、入力部２、ＲＦＩＤ処理部３、表示部４、記憶部５、外部通信部７、ストレージデバイス８および音声入出力部９を制御する。ＲＦＩＤ処理部３は、アンテナ３ａを制御する。
【００２１】
入力部２は、端末装置１に対する各種処理の指示が入力される機能を備える。入力部２に入力される指示として、たとえば、読取対象であるＲＦＩＤタグに記憶された識別情報を取得するＲＦＩＤタグ読取処理の開始または停止の指示、ＲＦＩＤタグに書き込む情報、該ＲＦＩＤタグに該書込情報を書き込むＲＦＩＤタグ書込処理の開始または停止の指示等がある。入力部２は、該指示が入力される複数の入力キー等を有し、入力キー等から入力された各指示の内容を制御部６に送出する。
【００２２】
ＲＦＩＤ処理部３は、制御部６の制御のもと、所定周波数の電波を送受信して、ＲＦＩＤタグ読取処理およびＲＦＩＤタグ書込処理を行なう。ＲＦＩＤタグ読取処理においては、ＲＦＩＤ処理部３は、制御部６の制御のもと、ＲＦＩＤタグの識別情報等を取得するためにＲＦＩＤタグに対して送信する電気信号を必要に応じて増幅、変調し、アンテナ３ａに送出する。そして、ＲＦＩＤ処理部３は、アンテナ３ａに対して、この電気信号に対応する所定の送信電波を送信させるよう制御する。また、ＲＦＩＤ処理部３は、アンテナ３ａを介して、ＲＦＩＤ処理部３からの送信電波に応じたＲＦＩＤタグからの応答電波を受信する。そして、該応答電波に対応する電気信号を必要に応じて復調し、ＲＦＩＤタグに記録された識別情報等を取得する。そして、ＲＦＩＤ処理部３は、取得した識別情報等を制御部６に送出し、ＲＦＩＤタグ読取処理を達成する。また、ＲＦＩＤタグ書込処理においては、ＲＦＩＤ処理部３は、制御部６の制御のもと、ＲＦＩＤタグに対して情報を書き込むためにＲＦＩＤタグに送信する電気信号を必要に応じて増幅、変調し、アンテナ３ａに送出する。そして、ＲＦＩＤ処理部３は、アンテナ３ａに対して、この電気信号に対応する所定の電波を送信させて、ＲＦＩＤタグに対して非接触によるＲＦＩＤタグ書込処理を行なう。
【００２３】
表示部４は、制御部６の制御のもと、ＲＦＩＤタグとＲＦＩＤ処理部３との間で行なわれる情報授受に関する情報を表示出力する。表示部４の表示出力情報として、たとえば、ＲＦＩＤタグ読取処理の完了およびＲＦＩＤタグ書込処理の完了のほか、ＲＦＩＤタグ読取処理において読み取られた識別情報等、ＲＦＩＤ書込み情報においてＲＦＩＤタグに書き込む書込情報等がある。また、表示部４は、端末装置１に処理動作に関するエラーが発生した場合に、制御部６の制御のもと、このエラーを報知する所定のエラー表示を表示出力してもよい。表示部４は、ＲＦＩＤタグとＲＦＩＤ処理部３との情報授受前に行なう通信確立期間の間、制御部６によって、省電力制御が行なわれる。ここで、通信確立期間とは、ＲＦＩＤタグとＲＦＩＤ処理部との情報授受前に行なわれる期間であり、ＲＦＩＤ処理部３が所定周波数の送信電波を送信する通信開始から、該送信電波に応じたＲＦＩＤタグからの最初の応答電波を受信するまでの期間または最初の応答電波の返信が予測される所定時間経過までの期間となる。また、省電力制御とは、制御部６が、表示部４に対する供給電力を停止する制御である。
【００２４】
記憶部５は、処理プログラム等の各種データが予め記憶されたＲＯＭ（Read Only Memory）と、各処理の演算パラメータ、ＲＦＩＤタグから読み取られた各種情報、書込み情報、あるいは音声情報等を記憶するＲＡＭ（Random Access Memory）とを備える。
【００２５】
制御部６は、記憶部５に記憶された処理プログラムを実行するＣＰＵ（Central Processing Unit）を備え、通信確立期間の間、表示部４に対して省電力制御を行なう。また、入力部２、ＲＦＩＤ処理部３、表示部４、記憶部５、外部通信部７、ストレージデバイス８および音声入出力部９の各処理または動作を制御する。この場合、制御部６は、これらの各構成部位に入出力される情報について所定の入出力制御を行い、かつ、この情報に対して所定の情報処理を行う。なお、制御部６は、外部通信部７を介して、ＲＦＩＤ処理部３から入力された識別情報等を外部のホストコンピュータ（図示せず）に送出し、その後、外部通信部７を介して、ホストコンピュータによって情報処理がなされた情報を受信してもよい。
【００２６】
外部通信部７は、ＲＳ２３２Ｃ、ＵＳＢ、またはＩＥＥＥ１３９４等の外部通信用インターフェース、あるいはＩｒＤＡ規格に準拠した赤外線通信インターフェース等を備え、外部のホストコンピュータ等に対する情報通信を行う。
【００２７】
ストレージデバイス８は、制御部６の制御のもと、外部から挿入されたスマートメディア、メモリスティック、マルチメディアカード、またはＳＤメモリカード等の記憶媒体を駆動させて、記憶媒体に記憶される情報を読み取る。さらに、ストレージデバイス８は、制御部６の制御のもと、制御部６から入力された情報を記憶媒体に対して記録するように機能してもよい。なお、記憶媒体は、ストレージデバイス８に対して着脱可能である。
【００２８】
音声入出力部９は、マイクロフォン、スピーカー、音声信号処理部等を有しており、制御部６の制御のもと、外部から入力された音声情報を処理した後に制御部６に送出し、また、制御部６から入力された音声情報を処理し外部に出力する。なお、音声入出力部９は、各処理の開始または完了を報知する所定の報知音を出力してもよい。また、音声入出力部９は、端末装置１に処理動作に関するエラーが発生した場合に、このエラーを報知する所定のエラー音を出力してもよく、また、表示部４によるエラー表示の出力と同期してエラー音を出力してもよい。
【００２９】
つぎに、端末装置１が行なう処理のうち、制御部６が表示部４に対して行う電力制御について説明する。ＲＦＩＤタグ読取処理では、制御部６は、通信確立期間の間、表示部４に対して省電力制御を行う。図２は、制御部６が表示部４に対して行う電力制御を説明するフローチャートである。
【００３０】
まず、図２に示すように、制御部６は、入力部２からＲＦＩＤタグ読取処理またはＲＦＩＤタグ書込処理の開始があったか否かを判断する。たとえば、ＲＦＩＤタグ読取処理の開始およびＲＦＩＤタグ書込処理の開始が、入力部２における所定の処理ボタンを押下することによって指示される場合には、該処理ボタンが押下されたか否かを判断する（ステップＳ１０２）。制御部６は、処理ボタンが押下されていないと判断した場合には（ステップＳ１０２：Ｎｏ）、ステップＳ１０２を繰り返す。
【００３１】
制御部６は、処理ボタンが押下されたと判断した場合には（ステップＳ１０２：Ｙｅｓ）、ＲＦＩＤ処理部３に対して、ＲＦＩＤタグに対する所定周波数の送信電波の送信を指示する。次いで、制御部６は、表示部４に対して、供給電力を停止する省電力制御を行なう（ステップＳ１０４）。
【００３２】
そして、制御部６は、ＲＦＩＤタグからの最初の応答電波を受信したか否かを判断する（ステップＳ１０６）。最初の応答電波を受信していない場合には（ステップＳ１０６：Ｎｏ）、最初の応答電波の返信が予測される所定時間が経過したか否かを判断し（ステップＳ１０８）、該所定時間が経過していない場合には（ステップＳ１０８：Ｎｏ）、ステップＳ１０６に戻る。
【００３３】
次いで、制御部６は、最初の応答電波が受信したと判断した場合には（ステップＳ１０６：Ｙｅｓ）または所定時間が経過したと判断した場合（ステップＳ１０８：Ｙｅｓ）、表示部４に対して、通常制御を行なう（ステップＳ１１０）。通常制御は、たとえば、ＲＦＩＤ処理部３が取得したＲＦＩＤタグの識別情報、ＲＦＩＤタグに書き込んだ情報、ＲＦＩＤタグ読取処理の完了、ＲＦＩＤタグ書込処理の完了およびＲＦＩＤタグに対する処理エラーの表示出力処理の制御であり、制御部６は表示出力に必要である電力を表示部４に供給して、上述した表示出力処理を制御する。
【００３４】
このように、実施の形態にかかる端末装置１では、ＲＦＩＤ処理部３が送信電波を送信する通信開始から、該送信電波に応じたＲＦＩＤタグからの最初の応答電波を受信するまでの期間または最初の応答電波の返信が予測される予測時間経過までの期間である通信確立期間の間、制御部６は、表示部４に対して、供給電力を停止する省電力制御を行なう。
【００３５】
表示部４における表示出力処理の電力消費は、端末装置１全体の電力消費に対して大きな割合を占めていた。また、通信確立期間は、ＲＦＩＤ処理部３とＲＦＩＤタグ間との間で行なわれる情報授受の期間と比較し長い期間であり、特に、ＲＦＩＤタグが送信電波によって給電され駆動する場合は、さらに長くなる。また、操作者が処理状態を報知させるためには、通信確立期間後に通信成功、通信失敗等の情報授受に関する情報を表示出力すれば十分であるため、該通信確立期間において情報授受に関する情報の表示出力は必ずしも必要ではない。このため、制御部６が該通信確立期間の間に表示部４に対して供給電力を停止する省電力制御を行なうことによって、端末装置１が消費する電力を低減することができ、端末装置１に搭載される電池の小型化が可能となり、端末装置１の小型化を図ることができる。
【００３６】
なお、制御部６は、表示部４に対して供給電力を停止する省電力制御を行なう場合について説明したが、これに限らず、表示部４に対する供給電力を抑制する省電力制御を行なってもよい。制御部６は、たとえば、表示部４を構成する構成部を制御して、表示部４に対する供給電力を抑制する。
【００３７】
図３に示すように、表示部４が、制御部６から入力された情報を表示可能な表示データに処理する表示処理部４２と、表示処理部４２から入力された表示データを表示出力する表示出力部４３と、表示処理部４２と表示出力部４３とを制御する表示制御部４１とを備える場合について説明する。表示出力部４３は、表示データを表示出力する液晶ディスプレイ４４と、液晶ディスプレイ４４に所定輝度の光を照射して表示出力部４３の表示輝度を調整する照明部４５とを備える。制御部６は、照明部４５に対して、照明光の輝度低下または照明光の照射停止を行なわせる。言い換えると、照明部４５に対する供給電力を停止または抑制して、表示部４に対する供給電力を抑制する。
【００３８】
また、図４に示すように、表示部４が、供給電流に応じた輝度の光を表示する有機エレクトロルミネッセンス（ＥＬ）素子によって形成された有機ＥＬディスプレイ４３ａを表示出力部として備える場合には、制御部６は、有機ＥＬディスプレイ４３ａに対して表示輝度の低下または表示停止を行なわせる。言い換えると、制御部６は、有機ＥＬディスプレイ４３ａに対する供給電流を停止または抑制することによって、表示部４に対する供給電力を抑制する。
【００３９】
また、図５に示すように、表示部４が供給電圧に応じた輝度の光を表示するプラズマディスプレイ４３ｂを表示出力部として備えた場合には、制御部６は、プラズマディスプレイ４３ｂに対して表示輝度の低下または表示停止を行なわせることによって、言い換えると、制御部６は、プラズマディスプレイ４３ｂに対する供給電圧を停止または抑制することによって、表示部４に対する供給電力を抑制する。なお、プラズマディスプレイ４３ｂは、２枚のガラス基板にヘリウムやネオン等の高圧のガスを封入し、封入したガスに電圧を印加することによって光を表示させている。
【００４０】
このように、制御部６が、表示部４に対して、通信確立期間の間、供給電力を抑制する省電力制御を行なった場合も同様に、端末装置１が消費する電力を低減することが可能となる。
【００４１】
なお、上述したＲＦＩＤ読取処理は、単数のＲＦＩＤタグに対して行なうほか、複数のＲＦＩＤタグに対して同時に行なってもよい。また、端末装置１では、制御部６による表示部４に対する省電力制御を行なうか否かを選択してもよい。たとえば、入力部２が省電力制御の選択を入力される表示ボタンを備え、該表示ボタンが押下された場合には、制御部６は、入力指示にしたがって、表示部４に対して省電力制御を行なわない。この場合、表示部４は、通信確立期間の間も所定の情報等を表示出力する。また、入力部２が省電力制御の非選択を入力される非表示ボタンを備え、該非表示ボタンが押下された場合に、制御部６は、入力指示にしたがって、表示部４に対して通信確立期間の間、省電力制御を行なってもよい。
【００４２】
また、制御部６は、通信確立期間の間、表示部４に対して省電力制御を行う場合について説明したが、これに限らず、入力部２からの指示内容に応じて表示部４に対する省電力制御を行ってもよい。たとえば、入力部２がＲＦＩＤタグ読取処理の開始を指示する処理開始ボタンとＲＦＩＤタグ読取処理を停止する処理停止ボタンを備える場合には、制御部６は、処理開始ボタンの押下に連動して表示部４に対する省電力制御を開始し、処理停止ボタンの押下に連動して表示部４に対する省電力制御を停止してもよい。
【００４３】
また、図６に示すように、光学情報記録媒体の情報を取得する光学情報読取部１０３を備えた端末装置１０１においても、制御部６は、通信確立期間の間、表示部４に対する省電力制御を行なってもよい。光学情報記録媒体は、符号化された識別情報等を表示した識別情報記録媒体である。また、光学情報読取部１０３は、制御部６の制御のもと、所定波長の光を光学情報記録媒体に対して送信し、光学情報記録媒体における反射光を受信することによって、光学情報記録媒体の識別情報等を取得する光学情報読取処理を行なう。端末装置１０１では、光学情報読取部１０３が所定波長の光を送信後、該光に対する反射光を受信するまでの通信確立期間の間、制御部６は、表示部4に対して省電力制御を行なう。また、表示部４は、制御部６における通常制御のもと、情報授受に関する情報として光学情報読取処理の完了および光学情報読取部１０３が読み取った光学情報記録媒体の情報を表示出力する。
【００４４】
また、端末装置１，１０１に限らず、図７に示すように、ＲＦＩＤ処理部３と光学情報読取部１０３とを備えた端末装置１１１においても、制御部６は、通信確立期間の間、表示部４に対する省電力制御を行なってもよい。この場合、制御部６は、処理開始が指示されたＲＦＩＤ処理部３、光学情報読取部１０３のいずれかにおける通信確立期間の間、表示部４に対する省電力制御を行う。
【００４５】
なお、光学情報読取部１０３は、光学情報記録媒体に対して赤外光または可視光を送信する半導体レーザ素子または発光ダイオード等の光源と、この光学情報記録媒体からの反射光を受信するフォトセンサ等の受光素子とを備え、受信した光を処理することによって、光学情報記録媒体の情報を取得する。また、光学情報読取部１０３は、ＣＣＤ（Charge Coupled Diode）、ＣＭＯＳ（Complementary Metal Oxide Semiconductor）等と、結像した入力光を電気信号に変換する光電変換部と、光電変換部からの入射光を結像させる光学系とを備え、光学情報記録媒体を撮像処理し、撮像処理によって得られた画像情報を解読して、光学情報記録媒体の情報を取得してもよい。また、光学情報読取部６が光学情報記録媒体を撮像するように機能する場合、表示部４は、制御部６における通常制御のもと、光学情報読取部６によって撮像された画像情報を表示出力する場合もある。
【００４６】
（変形例）
つぎに、本実施の形態にかかる端末装置の変形例について説明する。実施の形態では、ＲＦＩＤ処理部３を備えた端末装置１，１０１，１１１について説明したが、ＲＦＩＤ機能に限らず、所定周波数の電波を用いて、他の通信装置と無線通信を行なう端末装置に適用してもよい。本変形例では、無線通信機能を備えた端末装置として、携帯電話に適用した例について説明する。
【００４７】
図８は、本変形例にかかる携帯電話の概略構成を示すブロック図である。本変形例にかかる携帯電話１２１は、図８に示すように、入力部１２２と、無線通信用のアンテナ１２３ａを有する通信処理部１２３と、表示部１２４と、記憶部１２５と、制御部１２６と、音声入出力部１２９とを備える。制御部１２６は、入力部１２２と、通信処理部１２３と、表示部１２４と、記憶部１２５と、音声入出力部１２９とを制御する。また、通信処理部１２３は、アンテナ１２３ａを制御する。
【００４８】
通信処理部１２３は、所定周波数の電波を送受信するアンテナ１２３ａと接続し、制御部１２６の制御のもと、送話音声に対応するデータやパケット通信用データなどに対応する電気信号を生成し、アンテナ１２３ａを介して生成した電気信号に応じた所定周波数の電波を外部の基地局（図示せず）に送信する。また、通信処理部１２３は、制御部１２６の制御のもと、アンテナ１２３ａを介して基地局から送信された電波を受信し、アンテナ１２３ａから送出された電気信号を復調して、受話音声や通信データ等を得て、制御部１２６に送出する。
【００４９】
表示部１２４は、制御部１２６の制御のもと、情報授受に関する種々の情報を表示出力する。表示部１２４は、後述する通信確立期間の間、制御部６によって省電力制御が行なわれる。また、表示部１２４は、他の電話機からの着信等があった場合には、該着信を報知させるため、所定の表示を出力させる場合もある。
【００５０】
制御部１２６は、携帯電話１２１の各構成部を制御し、後述する通信確立期間の間、表示部１２４に対して省電力処理を行なう。入力部１２２は、テンキーなどの複数のキーを有しており、操作者のキー操作に応じた操作指示情報を制御部１２６に出力する。記憶部１２５は、処理プログラム等の各種データが予め記憶されたＲＯＭ（Read Only Memory）と、各処理の演算パラメータ、各種情報あるいは音声情報等を記憶するＲＡＭ（Random Access Memory）とを備える。音声入出力部１２９は、マイクロフォン、スピーカー、音声信号処理等を有しており、制御部１２６の制御のもと、他の電話機との間で行なわれる通話に必要な処理を行なう。また、音声入出力部１２９は、他の電話機からの着信等があった場合には、該着信を報知させるため、所定の音声を出力させる場合もある。
【００５１】
つぎに、制御部１２６が表示部１２４に対して行なう電力制御について、携帯電話１２１から他の電話機に通話を行なう場合を一例として説明する。図９は、制御部１２６が表示部１２４に対して行う電力制御を説明する図である。
【００５２】
図９に示すように、操作者によって通話対象となる他の電話機の電話番号を入力する番号入力操作が行なわれ（ステップＳ２０２）、その後、制御部１２６は、通話処理の開始指示が通話ボタンを押下することによって入力される場合には、通話ボタンが押下されたか否かを判断する（ステップＳ２０４）。通話ボタンが押下されていないと判断した場合には（ステップＳ２０４：Ｎｏ）、ステップＳ２０２に戻る。
【００５３】
次いで、制御部１２６は、通話ボタンが押下されたと判断した場合には（ステップＳ２０４：Ｙｅｓ）、通信処理部１２３からアンテナ１２３ａを介して所定周波数の電波を基地局に対して送信開始させた後、表示部４に対して、供給電力を停止を含めて抑制する省電力制御を行なう（ステップＳ２０６）。
【００５４】
そして、制御部１２６は、基地局との間で所定周波数の電波を送受信することによって、相手側が着信したか否かを判断する（ステップＳ２０８）。制御部１２６は、相手方が着信しないと判断した場合には（ステップＳ２０８：Ｎｏ）、通信確立失敗等によって通信状態が切断されたか否かを判断し（ステップＳ２１０）、切断されていないと判断した場合には（ステップＳ２１０：Ｎｏ）、ステップＳ２０８に戻る。
【００５５】
一方、制御部１２６は、相手側が着信して通話が開始される場合（ステップＳ２０８：Ｙｅｓ）または通信状態が切断されたと判断した場合には（ステップＳ２１０：Ｙｅｓ）、表示部１２４に対して通常制御を行なう（ステップＳ２１２）。通常制御は、たとえば、所定時間経過後に表示４に対して表示停止または表示輝度低下を行なう場合や、通信確立失敗を表示出力する場合がある。
【００５６】
また、携帯電話１２１においては、通信確立期間は、通信処理部１２３が所定周波数の電波を送信開始し通信が開始された後、通話開始または通信確立失敗によって通信が切断されるまでの時間である。このように、制御部１２６が通信確立期間において表示部１２４に対する省電力制御を行うことによって、携帯電話１２１における消費電力を低減することが可能となる。
【００５７】
なお、携帯電話１２１が電子メール送受信機能を備える場合も同様に、通信確立期間の間、表示部１２４に対して省電力制御を行なってもよい。この場合、通信確立期間は、電子メールの送信指示が行なわれ、通信処理部１２３が所定電波を送信し通信を開始した後、操作者が入力した送信情報を送信するまでの間である。この場合も、携帯電話１２１における消費電力を低減することができる。
【図面の簡単な説明】
【００５８】
【図１】実施の形態にかかる端末装置の概略構成を示すブロック図である。
【図２】制御部が表示部に対して行う電力制御を説明するフローチャートである。
【図３】表示部の概略構成を示すブロック図である。
【図４】表示部の概略構成の他の例を示すブロック図である。
【図５】表示部の概略構成の他の例を示すブロック図である。
【図６】実施の形態にかかる端末装置の概略構成の他の例を示すブロック図である。
【図７】実施の形態にかかる端末装置の概略構成の他の例を示すブロック図である。
【図８】変形例にかかる携帯電話の概略構成を示すブロック図である。
【図９】変形例における制御部が表示部に対して行う電力制御を説明するフローチャートである。
【符号の説明】
【００５９】
１、１０１、１１１  端末装置
２、１２２  入力部
３  ＲＦＩＤ処理部
３ａ、１２３ａ  アンテナ
４、１２４  表示部
５、１２５  記憶部
６、１２６  制御部
７  外部通信部
８  ストレージデバイス
９、１２９  音声入出力部
４１  表示制御部
４２  表示処理部
４３  表示出力部
４３ａ  有機ＥＬディスプレイ
４３ｂ  プラズマディスプレイ
４４  液晶ディスプレイ
４５  照明部
１０３  光学情報読取部
１２１  携帯電話
１２３  通信処理部
【図１】
2005235085.tif 000003
【図２】
2005235085.tif 000004
【図３】
2005235085.tif 000005
【図４】
2005235085.tif 000006
【図５】
2005235085.tif 000007
【図６】
2005235085.tif 000008
【図７】
2005235085.tif 000009
【図８】
2005235085.tif 000010
【図９】
2005235085.tif 000011